(57)【要約】【課題】使用する発光素子における光度のバラツキに関係なく、要求される色温度のストロボ光を得ることができる閃光装置及びそれを備えたカメラ装置、閃光装置の色温度制御方法を提供する。【解決手段】Ｒ，Ｇ，Ｂの３色のＬＥＤをパルス駆動により発光させ、白色のストロボ光を得る構成である。工場出荷時に、使用する個々のＬＥＤの発光光度に応じて合計発光時間の割合を決め、それをメモリに記憶しておく。発光時には、露出時間内における発光色毎の合計発光時間Ｔｒ，Ｔｇ，Ｔｂ（実際には電流が流れる部分の積分）の割合を、上記割合とする発光回数ｎＲ，ｎＧ，ｎＢを演算し、演算した発光回数ｎＲ，ｎＧ，ｎＢだけ各ＬＥＤを色毎にパルス駆動する。合計発光時間Ｔｒ，Ｔｇ，Ｔｂの割合が工場出荷時に設定された割合に制御され、ストロボ光が、要求される所定の色温度の白色光となる。【選択図】      図３
2006139297.tif 000002
【特許請求の範囲】
【請求項１】
閃光装置であって、
発光色が異なる複数色の発光素子と、
この複数色の発光素子を要求に応じて発光させるとともに、発光動作期間における発光色毎の合計発光時間の割合を個々の発光素子に応じて決められている固有の割合に制御する制御手段と
を備えたことを特徴とする閃光装置。
【請求項２】
前記複数色の発光素子をパルス駆動により発光させる駆動手段を備え、前記制御手段は、前記駆動手段によるパルス駆動回数を発光色毎に制御することを特徴とする請求項１記載の閃光装置。
【請求項３】
前記制御手段は、前記合計発光時間の割合が最も大きな発光色の発光素子の駆動時間内における、当該発光色以外の発光色の発光素子のパルス駆動タイミングを発光色毎に平均化させることを特徴とする請求項２記載の閃光装置。
【請求項４】
前記複数の発光素子を駆動し発光させる駆動手段を備え、前記制御手段は、前記駆動手段により駆動される複数色の発光素子の駆動時間を発光色毎に制御することを特徴とする請求項１記載の閃光装置。
【請求項５】
前記制御手段は、前記駆動手段に、前記合計発光時間の割合が最も大きな発光色の発光素子を連続駆動し、その連続駆動時間内における、当該発光色以外の発光色の発光素子を発光色毎に時分割で間欠駆動させることを特徴とする請求項４記載の閃光装置。
【請求項６】
前記発光素子は発光ダイオードであることを特徴とする請求項１〜５のいずれか１項に記載の閃光装置。
【請求項７】
請求項１〜６のいずれか１項に記載の閃光装置を備えたことを特徴とするカメラ装置。
【請求項８】
発光色が異なる複数色の発光素子を有する閃光装置が発する光の色温度を制御する方法であって、
発光色毎の合計発光時間の割合を個々の発光素子に応じて予め決めておき、
要求に応じ前記複数色の発光素子を発光させるときには、閃光装置の発光動作期間における発光色毎の合計発光時間の割合を決められている前記割合に制御することを特徴とする閃光装置の色温度制御方法。
【発明の詳細な説明】
【技術分野】
【０００１】
本発明は、複数色の発光素子を有する閃光装置及びそれを備えたカメラ装置と、閃光装置の色温度制御方法に関する。
【背景技術】
【０００２】
従来、銀塩カメラや、ＣＣＤ型やＭＯＳ型の固体撮像素子を用いて被写体を撮像し、それを画像データとしてフラッシュメモリ等の記録媒体に記録するデジタルカメラにおいては、例えば撮影時における光量不足を補うために、内蔵又は外付けのストロボが用いられている。一般にストロボにはキセノン管が発光素子として使用されており、キセノン管は、事前にメインコンデンサに充電しておいた電力がトリガ信号に応答して供給されることにより発光する。一方、メインコンデンサへの充電は、電源オン操作の直後や、ストロボを発光させた後に行われているが、その充電に数秒間の待ち時間が必要である。したがって、キセノン管を用いるストロボでは上記待ち時間内には撮影ができない。また、メインコンデンサの大きさが小さなものでも直径１０ｍｍ程度、長さ２５〜４０ｍｍ程度であるため、機器の小型化が難しいというような問題があった。
【０００３】
このようなことから、発光素子として発光ダイオード（以下、ＬＥＤ）を用いることによりメインコンデンサを不要とするとともに、ＬＥＤに異なる発光色を有するものを用いることによって、各種の色のストロボ光を発することを可能とすることが考えられている。ところで、一般にＬＥＤには固体間に発光光度のバラツキが存在し、各々が光度によってランクされており、使用に際しては、許容範囲内のランクのＬＥＤや、或いは必要な光度が得られる所定のランクのＬＥＤが選択的に用いられている。
【発明の開示】
【発明が解決しようとする課題】
【０００４】
しかしながら、ＬＥＤを発光素子とする閃光装置において、例えば発光色がＲ，Ｇ，Ｂの３色のＬＥＤを用いて白色のストロボ光を実現する場合、前述したように所定のランクのＬＥＤが選択的に用いたとしても、各ＬＥＤに存在する僅かな光度のバラツキに起因して、装置毎に各ＬＥＤの混合光の色温度にバラツキが生じるという問題があった。
【０００５】
本発明は、かかる従来の課題に鑑みてなされたものであり、使用する発光素子における光度のバラツキに関係なく、要求される色温度のストロボ光を得ることができる閃光装置及びそれを備えたカメラ装置、閃光装置の色温度制御方法を提供することを目的とする。
【課題を解決するための手段】
【０００６】
前記課題を解決するために請求項１の発明にあっては、閃光装置であって、発光色が異なる複数色の発光素子と、この複数色の発光素子を要求に応じて発光させるとともに、発光動作期間、すなわち発光動作が連続して行われる時間における発光色毎の合計発光時間の割合を個々の発光素子に応じて決められている固有の割合に制御する制御手段とを備えたものとした。
【０００７】
かかる構成において、発光動作期間には、発光色毎の発光素子の合計発光時間の割合が、個々の発光素子に応じて決められている固有の割合に制御される。したがって、発光色毎の発光素子の合計発光時間の割合を、装置に要求される所定の色温度に対応して予め決めておくことにより、複数色の発光素子の各々における光度のバラツキに関係なく、全ての発光素子の光の混合光であるストロボ光に、装置に要求される所定の色温度を確実に得ることができる。
【０００８】
また、請求項２の発明にあっては、前記複数色の発光素子をパルス駆動により発光させる駆動手段を備え、前記制御手段は、前記駆動手段によるパルス駆動回数を発光色毎に制御するものとした。
【０００９】
かかる構成においては、複数色の発光素子のパルス駆動回数が発光色毎に制御されることにより、複数色の発光素子における発光色毎の合計発光時間の割合が決められた割合に制御される。
【００１０】
また、請求項３の発明にあっては、前記制御手段は、前記合計発光時間の割合が最も大きな発光色の発光素子の駆動時間内における、当該発光色以外の発光色の発光素子のパルス駆動タイミングを発光色毎に平均化させるものとした。
【００１１】
かかる構成においては、発光動作期間内における複数色の発光素子の全ての発光動作間隔が平均化され、発光動作期間内におけるストロボ光の色温度の変化が一様となる。
【００１２】
また、請求項４の発明にあっては、前記複数の発光素子を駆動し発光させる駆動手段を備え、前記制御手段は、前記駆動手段により駆動される複数色の発光素子の駆動時間を発光色毎に制御するものとした。
【００１３】
かかる構成においては、複数色の発光素子が連続駆動され、そのときの発光色毎の駆動時間が制御されることにより、複数色の発光素子における発光色毎の合計発光時間の割合が決められた割合に制御される。
【００１４】
また、請求項５の発明にあっては、前記制御手段は、前記駆動手段に、前記合計発光時間の割合が最も大きな発光色の発光素子を連続駆動し、その連続駆動時間内における、当該発光色以外の発光色の発光素子を発光色毎に時分割で間欠駆動させるものとした。
【００１５】
かかる構成においては、発光動作期間内における複数色の発光素子の全ての発光動作間隔が平均化され、発光動作期間内におけるストロボ光の色温度の変化が一様となる。
【００１６】
また、請求項６の発明にあっては、前記発光素子は発光ダイオードであるものとした。
【００１７】
また、請求項７の発明にあっては、請求項１〜６のいずれか１項に記載の閃光装置を備えたことを特徴とするカメラ装置とした。
【００１８】
また、請求項８の発明にあっては、発光色が異なる複数色の発光素子を有する閃光装置が発する光の色温度を制御する方法であって、発光色毎の合計発光時間の割合を個々の発光素子に応じて予め決めておき、要求に応じ前記複数色の発光素子を発光させるときには、閃光装置の発光動作期間における発光色毎の合計発光時間の割合を決められている前記割合に制御するようにした。
【００１９】
かかる方法によれば、複数色の発光素子の各々における光度のバラツキに関係なく、全ての発光素子の光の混合光であるストロボ光に、装置に要求される所定の色温度を確実に得ることができる。
【発明の効果】
【００２０】
以上説明したように請求項１、及び請求項８の発明においては、発光色毎の発光素子の合計発光時間の割合を、装置に要求される所定の色温度に対応して予め決めておくことにより、複数色の発光素子の各々における光度のバラツキに関係なく、全ての発光素子の光の混合光であるストロボ光に、装置に要求される所定の色温度を確実に得ることが可能となる。
【００２１】
また、請求項２の発明においては、複数色の発光素子のパルス駆動回数が発光色毎に制御されることにより、複数色の発光素子における発光色毎の合計発光時間の割合が決められた割合に制御されるようにした。よって、複数色の発光素子の各々における光度のバラツキに関係なく、全ての発光素子の光の混合光であるストロボ光に、装置に要求される所定の色温度を確実に得ることが可能となる。
【００２２】
さらに、請求項３の発明においては、発光動作期間内における複数色の発光素子の全ての発光動作間隔が平均化され、発光動作期間内におけるストロボ光の色温度の変化が一様となるようにした。よって、激しい動きのある被写体の撮影に際しても均一な色での撮影が可能となる。
【００２３】
また、請求項４の発明においては、複数色の発光素子が連続駆動され、そのときの発光色毎の駆動時間が制御されることにより、複数色の発光素子における発光色毎の合計発光時間の割合が決められた割合に制御されるようにした。よって、複数色の発光素子の各々における光度のバラツキに関係なく、全ての発光素子の光の混合光であるストロボ光に、装置に要求される所定の色温度を確実に得ることが可能となる。
【００２４】
さらに、請求項５の発明においては、発光動作期間内における複数色の発光素子の全ての発光動作間隔が平均化され、発光動作期間内におけるストロボ光の色温度の変化が一様となるようにした。よって、激しい動きのある被写体の撮影に際しても均一な色での撮影が可能となる。
【００２５】
また、請求項６の発明においては、発光素子を発光ダイオードとした構成において上記の効果を得ることができる。
【００２６】
また、請求項７の発明においては、複数色の発光素子を有する閃光装置を備えたカメラ装置において、閃光装置が発するストロボ光には、要求される所定の色温度を確実に得ることができる。よって、ストロボ撮影時においても良好な色バランスでの撮影が可能となる。
【発明を実施するための最良の形態】
【００２７】
以下、本発明の一実施の形態を図にしたがって説明する。
（第１の実施の形態）
図１は、本発明の閃光装置であるストロボ１が内蔵されたデジタルカメラ２（本発明のカメラ装置）の電気的構成を示すブロック図である。このデジタルカメラ２は、撮像レンズ３を介して結像された被写体像を撮像するＣＣＤ４と、ＣＣＤ４を駆動するためのＴＧ（Timing Generator）５及びＶドライバー６と、ＣＣＤ４から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路７を有している。
【００２８】
ＣＣＤ４は、ＭＰＵ８から送られるシャッターパルスに応じ、ＴＧ（Timing Generator）５とＶドライバー６とによって電荷蓄積時間を変化されることにより、電子シャッターとして機能する。ＭＰＵ８は各種の信号処理、及び画像処理機能を備えたものであり、ユニット回路７を経てデジタル信号に変換された撮像信号からビデオ信号を生成し、ＣＣＤ４により撮像した被写体像をスルー画像として液晶モニター９に表示させる。また、撮影時には、撮像信号を圧縮して所定のフォーマットの画像ファイルを生成し、それをフラッシュメモリ１０に記憶させる一方、再生時には圧縮した画像ファイルを伸張して液晶モニター９に表示させる。
【００２９】
また、ＭＰＵ８には電池等の電源を含む電源回路１１、シャッターキー等の各種のスイッチを含む操作キー部１２、作業用のメモリであるＤＲＡＭ１３、ＭＰＵ８による各部の制御及びデータ処理に必要な各種の動作プログラムが記録されたＥＥＰＲＯＭ１４、発光制御ブロック１５が接続されており、発光制御ブロック１５には、互いに異なる発光色を有する複数の発光素子、すなわち赤色ＬＥＤ（ＬＥＤ−Ｒ）１６、緑色ＬＥＤ（ＬＥＤ−Ｇ）１７、青色ＬＥＤ（ＬＥＤ−Ｂ）１８が接続されている。
【００３０】
発光制御ブロック１５は本発明の駆動手段であり、ストロボ撮影モードでＭＰＵ８の制御に基づき各ＬＥＤ１６，１７，１８に決められた値のパルス電流を供給し、各ＬＥＤ１６，１７，１８をパルス駆動により発光させる。ＥＥＰＲＯＭ１４には、ＭＰＵ８に前述した各部の動作を制御させるためのプログラム及び各種の設定データが記憶されている。また本実施の形態において、前記設定データには、ストロボ撮影モードでの発光制御ブロック１５の制御時に使用される発光制御データが記憶されている。この発光制御データは、使用されている個々のＬＥＤ１６，１７，１８に応じて、より具体的には個々のＬＥＤ１６，１７，１８の発光光度に応じて事前に決められている固有のデータ、つまり装置毎に固有のデータであって、各ＬＥＤ１６，１７，１８を発光させるときの発光色毎の合計発光時間の割合を示すデータである。また、本実施の形態における発光制御データは「Ｒｔ：Ｇｔ：Ｂｔ」といった割合データであり、その値は、工場出荷時において、各ＬＥＤ１６，１７，１８の光の混合光であるストロボ光が所定の色温度の白色光となるように調整したときの値である。
【００３１】
そして、本実施の形態において、ＭＰＵ８は前記発光制御データに基づき発光制御ブロック１５の動作を制御することにより本発明の制御手段として機能する。つまり本実施の形態においては、ＭＰＵ８と、ＥＥＰＲＯＭ１４、発光制御ブロック１５、各ＬＥＤ１６，１７，１８によってストロボ１が構成されている。
【００３２】
次に、本実施の形態において、シャッターキーが押されたとき操作キー部１２から送られるトリガ信号に応じてＭＰＵ８がストロボ１の動作を制御するときの制御内容を図２のフローチャートに従い説明する。ＭＰＵ８は操作キー部１２からトリガ信号が送られると（ステップＳＡ１でＹＥＳ）、ＥＥＰＲＯＭ１４から前述した割合データ（Ｒｔ，Ｇｔ，Ｂｔ）を読み出し（ステップＳＡ２）、それに基づき、ＣＣＤ４の露光時間内における赤色ＬＥＤ１６、緑色ＬＥＤ１７、青色ＬＥＤ１８の各々のパルス駆動回数（発光回数）ｎＲ，ｎＧ，ｎＢを個別に演算する（ステップＳＡ３）。より具体的には、前述した合計発光時間の割合が最も大きな赤色ＬＥＤ１６の露出時間内におけるパルス駆動回数ｎＲを基準として、緑色ＬＥＤ１７、青色ＬＥＤ１８のパルス駆動回数ｎＧ，ｎＢを演算する。しかる後、発光制御ブロック１５により、図３に示したように、各ＬＥＤ１６，１７，１８を一斉にパルス駆動するとともに、演算した発光回数ｎＲ，ｎＧ，ｎＢだけ色毎に駆動する（ステップＳＡ４）。
【００３３】
これにより、ＣＣＤ４の露光時間内において各ＬＥＤ１６，１７，１８の各々の合計発光時間Ｔｒ，Ｔｇ，Ｔｂ（実際には電流が流れる部分の積分である）の割合が工場出荷時に設定された割合（Ｒｔ：Ｇｔ：Ｂｔ）に制御され、ストロボ光には、要求される所定の色温度が確保される。
【００３４】
したがって、本実施の形態によれば、前述したように、予めストロボ光が所定の色温度の白色光となるように調整したとき得られた割合データ（Ｒｔ：Ｇｔ：Ｂｔ）をＥＥＰＲＯＭ１４に記憶しておくことにより、ＬＥＤ１６，１７，１８の各々における発光光度のバラツキに関係なく、全ての発光ダイオードの光の混合光であるストロボ光に、要求される色温度の白色光を確保することができる。しかも、ＭＰＵ８が発光制御ブロック１５による各ＬＥＤ１６，１７，１８の駆動回数を制御することにより、ストロボ光の色温度が管理される構成であるため、従来存在する発光制御ブロック１５以外に新たな駆動回路を追加する必要がない。
【００３５】
（第２の実施の形態）
次に、本発明の第２の実施の形態について説明する。本実施の形態は、第１の実施の形態と同様の構成を有するデジタルカメラにおいて、ＥＥＰＲＯＭ１４に、ＭＰＵ８に第１の実施の形態とは異なる図４のフローチャートに示したストロボ制御を行わせるためのプログラムが格納されたものである。
【００３６】
本実施の形態においても、ＭＰＵ８は操作キー部１２からトリガ信号が送られると（ステップＳＢ１でＹＥＳ）、ＥＥＰＲＯＭ１４から前述した割合データ（Ｒｔ，Ｇｔ，Ｂｔ）を読み出し（ステップＳＢ２）、それに基づき、ＣＣＤ４の露光時間Ｔ内における赤色ＬＥＤ１６、緑色ＬＥＤ１７、青色ＬＥＤ１８の各々の発光回数（パルス駆動回数）ｎＲ，ｎＧ，ｎＢを個別に演算する（ステップＳＢ３）。さらに、ＭＰＵ８は、演算した発光回数ｎＲ，ｎＧ，ｎＢに対応する、ＣＣＤ４の露光時間Ｔ内でのパルス駆動間隔（駆動周期）ｉＲ，ｉＧ，ｉＢを演算し（ステップＳＢ４）、しかる後、発光制御ブロック１５によって、図５に示したように、ＣＣＤ４の露光時間Ｔ内に、演算したパルス駆動間隔ｉＲ，ｉＧ，ｉＢで各ＬＥＤ１６，１７，１８を演算した発光回数ｎＲ，ｎＧ，ｎＢだけ周期的に駆動する（ステップＳＢ５）。
【００３７】
これにより、ＣＣＤ４の露光時間Ｔ内においては各ＬＥＤ１６，１７，１８の個々の合計発光時間（実際には電流が流れる部分の積分値）の割合が工場出荷時に設定された割合（Ｒｔ：Ｇｔ：Ｂｔ）に制御され、ストロボ光には、要求される所定の色温度が確保されることとなる。したがって、第１の実施の形態と同様の効果が得られる。
【００３８】
さらに、ＣＣＤ４の露光時間Ｔ内では、各ＬＥＤ１６，１７，１８の発光時期が平均化されることにより、ストロボ１の発光動作期間（露出時間）内におけるストロボ光の色温度の変化が一様となる。よって、激しい動きのある被写体の撮影に際しても均一な色での撮影が可能であり、被写体の動きが激しいときのストロボ撮影においても良好な撮影結果を得ることができる。
【００３９】
（第３の実施の形態）
次に、本発明の第３の実施の形態について説明する。本実施の形態は、図１に示した構成のデジタルカメラにおいて、前記発光制御ブロック１５が、ストロボ撮影モードでＭＰＵ８の制御に基づき各ＬＥＤ１６，１７，１８に決められた値の駆動電流を供給し、各ＬＥＤ１６，１７，１８を発光させるものであるとともに、ＥＥＰＲＯＭ１４に、ＭＰＵ８に図６に示したストロボ制御を行わせるためのプログラムが格納されたものである。
【００４０】
本実施の形態においても、ＭＰＵ８は操作キー部１２からトリガ信号が送られると（ステップＳＣ１でＹＥＳ）、ＥＥＰＲＯＭ１４から前述した割合データ（Ｒｔ，Ｇｔ，Ｂｔ）を読み出し（ステップＳＣ２）、それに基づき、ＣＣＤ４の露光時間内における赤色ＬＥＤ１６、緑色ＬＥＤ１７、青色ＬＥＤ１８の各々の駆動時間（発光時間）Ｔｒ，Ｔｇ，Ｔｂを個別に演算する（ステップＳＣ３）。より具体的には、前述した合計発光時間の割合が最も大きな赤色ＬＥＤ１６の駆動時間Ｔｒを露出時間とし、それを基準として緑色ＬＥＤ１７と青色ＬＥＤ１８の駆動時間Ｔｇ，Ｔｂを演算する。しかる後、発光制御ブロック１５により、図３に示したように各ＬＥＤ１６，１７，１８を一斉に駆動し、各ＬＥＤ１６，１７，１８を演算した時間Ｔｒ，Ｔｇ，Ｔｂに達するまで連続駆動する（ステップＳＣ４）。
【００４１】
これにより、ＣＣＤ４の露光時間Ｔ内においては各ＬＥＤ１６，１７，１８の個々の発光時間の割合が工場出荷時に設定された割合（Ｒｔ：Ｇｔ：Ｂｔ）に制御され、ストロボ光には、要求される所定の色温度が確保されることとなる。したがって、本実施の形態においても第１及び第２の実施の形態と同様の効果が得られる。
【００４２】
（第４の実施の形態）
次に、本発明の第４の実施の形態について説明する。本実施の形態は第３の実施の形態と同様に、図１に示した構成のデジタルカメラにおいて、前記発光制御ブロック１５が、ストロボ撮影モードでＭＰＵ８の制御に基づき各ＬＥＤ１６，１７，１８に決められた値の駆動電流を供給し、各ＬＥＤ１６，１７，１８を発光させるものであるとともに、ＥＥＰＲＯＭ１４に、ＭＰＵ８に第３の実施の形態とは異なる図８に示したストロボ制御を行わせるためのプログラムが格納されたものである。
【００４３】
本実施の形態においても、ＭＰＵ８は操作キー部１２からトリガ信号が送られると（ステップＳＤ１でＹＥＳ）、ＥＥＰＲＯＭ１４から前述した割合データ（Ｒｔ，Ｇｔ，Ｂｔ）を読み出し（ステップＳＤ２）、それに基づき、ＣＣＤ４の露光時間内における赤色ＬＥＤ１６、緑色ＬＥＤ１７、青色ＬＥＤ１８の各々の駆動時間（発光時間）Ｔｒ，Ｔｇ，Ｔｂを個別に演算する（ステップＳＤ３）。より具体的には、前述した合計発光時間の割合が最も大きな赤色ＬＥＤ１６の駆動時間Ｔｒを露出時間Ｔとし、それを基準として緑色ＬＥＤ１７と青色ＬＥＤ１８の駆動時間Ｔｇ，Ｔｂを演算する。さらに、ＭＰＵ８は、赤色ＬＥＤ１６の駆動時間（露出時間）Ｔｒ内に緑色ＬＥＤ１７と青色ＬＥＤ１８を時分割で駆動するための１回の駆動時間ｄＧ，ｄＢと駆動間隔ｉＧ，ｉＢとを演算し（ステップＳＤ４）、しかる後、発光制御ブロック１５によって、図９に示したように、ＣＣＤ４の露光時間Ｔ内に赤色ＬＥＤ１６を連続駆動するとともに、緑色ＬＥＤ１７と青色ＬＥＤ１８とを、演算した駆動間隔ｉＧ，ｉＢで演算した駆動時間ｄＧ，ｄＢずつ間欠駆動する（ステップＳＤ５）。
【００４４】
これにより、ＣＣＤ４の露光時間Ｔ内においては各ＬＥＤ１６，１７，１８の個々の合計発光時間（電流が流れる部分の積分値）の割合が工場出荷時に設定された割合（Ｒｔ：Ｇｔ：Ｂｔ）に制御され、ストロボ光には、要求される所定の色温度が確保されることとなる。したがって、前述した他の実施の形態と同様の効果が得られる。
【００４５】
さらに、ＣＣＤ４の露光時間Ｔ内では、緑色ＬＥＤ１７と青色ＬＥＤ１８が時分割で間欠駆動され、その結果、各ＬＥＤ１６，１７，１８の発光時期が平均化されることから、ストロボ１の発光動作期間（露出時間）内におけるストロボ光の色温度の変化が一様となる。よって、先に説明した第２の実施の形態と同様に、激しい動きのある被写体の撮影に際しても均一な色での撮影が可能であり、被写体の動きが激しいときのストロボ撮影においても良好な撮影結果を得ることができる。
【００４６】
なお、以上説明した各実施の形態では、ストロボ１が赤色（Ｒ）、緑色（Ｇ）、青色（Ｂ）の三原色のＬＥＤ１６，１７，１８を有し、白色のストロボ光を得るものについて説明したが、ＬＥＤについては、二色のＬＥＤのみを用いたり、さらに多色のＬＥＤを用いたりしてもよく、さらに各発光色のＬＥＤの数については、それぞれが複数であってもよい。また、いずれの場合においても、複数のＬＥＤの配置形態は特に限定されることなく、例えば直線上に配置したり、同一円周上に配置したりといったように任意に配置させることができる。また、白色光以外の色温度のストロボ光が必要なときには、二色のＬＥＤのみを用いたり、多色のＬＥＤの中から所定の発光色のＬＥＤのみを選択的に発光させたりしてもよい。
【００４７】
また、以上説明した各実施の形態では、デジタルカメラ２に内蔵されたストロボ１に本発明を適用したものを示したが、これに限らず本発明は、それ自体が単独で構成され、銀塩カメラやデジタルカメラ等の他の機器に装着されるものにも採用することもできる。その場合であっても、前述した各実施の形態と同様の効果を得ることができる。また、ストロボ１を構成する発光素子として発光ダイオード１６，１７，１８を用いたものを示したが、発光ダイオード以外にも、前述したように露出時間等の要求される発光動作期間に、発光色毎の合計発光時間の割合が制御可能であれば、他の発光素子を用いることもできる。
【図面の簡単な説明】
【００４８】
【図１】本発明の各実施の形態に共通するデジタルカメラのブロック図である。
【図２】第１の実施の形態におけるＭＰＵによるストロボの制御手順を示すフローチャートである。
【図３】同実施の形態における三色のＬＥＤの駆動タイミングを示すタイミングチャートである。
【図４】第２の実施の形態におけるＭＰＵによるストロボの制御手順を示すフローチャートである。
【図５】同実施の形態における三色のＬＥＤの駆動タイミングを示すタイミングチャートである。
【図６】第３の実施の形態におけるＭＰＵによるストロボの制御手順を示すフローチャートである。
【図７】同実施の形態における三色のＬＥＤの駆動タイミングを示すタイミングチャートである。
【図８】第４の実施の形態におけるＭＰＵによるストロボの制御手順を示すフローチャートである。
【図９】同実施の形態における三色のＬＥＤの駆動タイミングを示すタイミングチャートである。
【符号の説明】
【００４９】
１  ストロボ
２  デジタルカメラ
８  ＭＰＵ
１２  操作キー部
１４  ＥＥＰＲＯＭ
１５  発光制御ブロック
１６  赤色ＬＥＤ
１７  緑色ＬＥＤ
１８  青色ＬＥＤ
【図１】
2006139297.tif 000003
【図２】
2006139297.tif 000004
【図３】
2006139297.tif 000005
【図４】
2006139297.tif 000006
【図５】
2006139297.tif 000007
【図６】
2006139297.tif 000008
【図７】
2006139297.tif 000009
【図８】
2006139297.tif 000010
【図９】
2006139297.tif 000011